(57)【要約】      （修正有）【課題】外部足場の組立て作業が安全に行えるとともに、地震時には、変形や破損を防止できる免震構造物用の外部足場を提供する。【解決手段】免震構造物１の外部に立設されるとともに免震構造物に連結される外部足場７であって、外部足場を構成する建枠８、９の下端に固設された支持板の下面側において、キャスタ３０を備えたキャスタ取付板を支持板に分離可能に付設し、キャスタは、足場の組立時に車輪の回転を阻止し、足場の組立後に車輪の回転を可能にすることができるブレーキペダルを備える。【選択図】図１
0003216804.tif 000002
【実用新案登録請求の範囲】
【請求項１】
免震構造物の外部に立設されるとともに該免震構造物に連結される外部足場であって、該外部足場を構成する建枠の下端に固設された支持板の下面側において、キャスタを備えたキャスタ取付板を前記支持板に分離可能に付設し、該キャスタは、足場の組立時にその車輪の回転を阻止し、足場の組立後に車輪の回転を可能にすることができるブレーキペダルを備えたことを特徴とする免震構造物用の外部足場。
【考案の詳細な説明】
【技術分野】
【０００１】
本考案は、免震構造物の構築、改装時に、免震構造物の外部に立設される外部足場に関する。
【背景技術】
【０００２】
従来、免震構造物の外部足場として、その建枠の下端にねじ軸を介して、ボールベアリングを設け、該ねじ軸にプレートを螺着して昇降可能に設け、外部足場を地表に対し不動に固定する際には、プレートを下降するように回転して接地し、該プレートで荷重を支持してボールベアリングの移動を阻止し、また、外部足場を地表に対して移動可能にする場合には、プレートを上動するように回転して、ボールベアリングを接地させるようにしたものが知られている。
【考案の概要】
【考案が解決しようとする課題】
【０００３】
前記従来のものにおいては、前記プレートを作業者が手動で回転することから大きな労力が必要であるとともに、高価なボールベアリングを使用する問題がある。
【０００４】
そこで本考案は、前記の課題を解決する免震構造用の外部足場を提供することを目的とするものである。
【課題を解決するための手段】
【０００５】
前記の課題を解決するために、請求項１記載の考案は、免震構造物の外部に立設されるとともに該免震構造物に連結される外部足場であって、該外部足場を構成する建枠の下端に固設された支持板の下面側において、キャスタを備えたキャスタ取付板を前記支持板に分離可能に付設し、該キャスタは、足場の組立時にその車輪の回転を阻止し、足場の組立後に車輪の回転を可能にすることができるブレーキペダルを備えたことことを特徴とするものである。
【考案の効果】
【０００６】
本考案は、外部足場を免震構造物に連結するとともに、該外部足場の下端にブレーキ付きのキャスタを設け、ブレーキペダルによりキャスタにおける車輪の回転の阻止と、その解除を行えるようにしたことにより、外部足場の組立て作業時には、キャスタのブレーキペダルを踏み込んでブレーキをかけてキャスタの移動を阻止することにより、外部足場の組立て作業が安全に行える。
【０００７】
更に、外部足場の組立作業後は、ブレーキを外してキャスタの移動を可能にすることにより、地震時において、免震構造物が水平移動した場合には、この移動に追従してキャスタが水平移動し、外部足場の変形や破損を防止できる。
【０００８】
更に、キャスタの移動阻止と、その解除操作が、作業者の足踏み操作で楽に行える。
したがって、免震構造物用の外部足場として有効なものである。
【図面の簡単な説明】
【０００９】
【図１】本考案に係る免震構造物用の外部足場の設置状態を示す図。
【図２】本考案に係る外部足場における建枠と支持板を示す斜視図。
【図３】図２の支持板とキャスタ取付板とを組付けた斜視図。
【図４】図３のＡ―Ａ線断面図。
【図５】図４の下面図。
【考案を実施するための形態】
【００１０】
本考案の免震構造物用の外部足場の実施例を図に基づいて説明する。
［実施例１］
図１において、１は免震装置を有する建物等の免震構造物で、その地下空間部２内には、下部躯体である基礎３と、上部躯体である地中梁４間に位置して免震ゴム等からなる免震装置５が介在され、地中梁４上に１階スラブ６が設けられている。
【００１１】
免震構造物１は上記のように構成されているため、地震時において、水平方向への揺れが発生した場合には免震装置５を境として、下部躯体と１階スラブ６を含む上部躯体とが相対的に、反対方向に揺れ動き、免震機能を発揮する。
【００１２】
次に、外部足場７について説明する。
【００１３】
外部足場７は、図１に示すように、一対の建枠８，９を、建物１に対して前後に配置するとともに、これら相互を連結枠で連結して、枠組み足場として形成され、この外部足場７が連結部材１０で建物等の免震構造物１に連結されて立設される。
【００１４】
前記各建枠８，９は、図１，図２に示すように、金属製のパイプよりなる脚柱１１と、雄ねじからなるねじ軸１２とで構成されている。
【００１５】
各建枠８，９は同一構造であるため、以下、一方の建枠８について説明する。
【００１６】
前記ねじ軸１２の外周には、図２に示すように、該ねじ軸１２に螺着する雌ねじを有する支承部材１３が回転可能に設けられており、該支承部材１３よりも上方へ突出するねじ軸１２を、前記脚柱１１の下部内に挿入し、前記脚柱１１の下端部を前記支承部材１３の上面に摺動可能に載置するようになっている。前記支承部材１３には操作ハンドル１４が固設されている。
【００１７】
したがって、操作ハンドル１４により支承部材１３を正逆回転して昇降することにより、脚柱１１が昇降するジャッキ機構を構成している。
【００１８】
前記ねじ軸１２の下端には、ねじ軸１２、すなわち、建枠８を支承する支持板２０が、ねじ軸１２の軸芯と直交して固設されている。該支持板２０は、図２〜図４に示すように平面形状が略正方形に形成され、その四隅部に位置して４個の無ねじ状のボルト挿通孔２１が表裏方向に貫通して形成されている。
【００１９】
前記支持板２０の下面側にはキャスタ取付板２３が、支持板２０に対して分離可能に取付けられるようになっている。
【００２０】
キャスタ取付板２３には、図３，図４に示すように、該キャスタ取付板２３上に前記支持板２０を所定位置、すなわち、前記ねじ軸１２の軸芯と、キャスタ取付板２３の中心とを略同芯Ｏ１上に配置した状態において、前記支持板２０のボルト挿通孔２１に同軸状で対応する位置に、４個のボルト挿通孔２４が上下方向に貫通形成されている。
【００２１】
前記支持板２０のボルト挿通孔２１と前記キャスタ取付板２３のボルト挿通孔２４には、図４に示すように頭部付ボルト２６が共通して挿通され、該頭部付ボルト２６にナット２７を締付けることにより、両板２０，２３を分離可能に連結できるようになっている。
【００２２】
該頭部付ボルト２６としては、例えば図３，図４に示すような、雄ねじ部２６ａと、該雄ねじ部２６ａより大径の頭部２６ｂを有する頭部付ボルトを用いるもので、図の実施例では大径頭部と環状部を有するアイボルトを使用した。
【００２３】
前記キャスタ取付板２３は方形の板で形成され、その四隅の下面には、図３〜図５に示すように、ブレーキ付キャスタ３０が取付られている。
【００２４】
該キャスタ３０は、その取付基部３１が、図４に示す垂直方向の軸芯Ｘ１を中心として回転するように前記キャスタ取付板２３に取付けられ、かつ、該取付基部３１から腕部３２が下方へ突出するとともに、その下方の先端部に、前記軸芯Ｘ１と偏心し、かつ、軸芯Ｘ１と直交する水平方向の軸芯Ｙ１を回転中心として回転するように車輪３３が備えられている。これにより、各車輪３３は、平面上において全方向に回転移動するようになっている。
【００２５】
前記各車輪３３の回転軸３４には、ブレーキ３５とブレーキペダル３６が備えられており、車輪３３を地表に設置した状態でブレーキペダル３６の一方のペダル部３６ａを作業者の足で踏み込むことにより、ブレーキがかかり車輪３３のＸ１及びＹ１の軸を中心とする回転を阻止し、また、他方のペダル部３６ｂを足で踏み込むことにより、ブレーキが解除されて車輪３３が回転できるようになっている。
【００２６】
以上の構成において、外部足場７の組立て時には、図３，図４に示すように、支持板２０をキャスタ取付板２３上に載置するとともに、両ボルト挿通孔２１，２４を通じて両板２０，２３を頭部付ボルト２６とナット２７により挟持固着し、キャスタ３０を支持板２０に固着する。
【００２７】
そして、キャスタ３０を、外部足場７の設置位置に配置し、ブレーキペダル３６の一方のペダル部３６ａを踏み込んで、ブレーキをかけ、車輪３３の回転を阻止する。この状態で外部足場７を、免震構造物１の外部に沿って組立てるとともに、連結部材１０で建物１に連結する。
【００２８】
これにより、外部足場７の組立て作業中において、外部足場７の水平移動が阻止され、組立て作業が安全に行える。
【００２９】
次に、外部足場７の組立て終了後、前記ブレーキペダル３６の他方のペダル部３５ｂを踏み込んでブレーキ３５を解除してキャスタ３０の水平方向における全方向の移動を可能にすることにより、地震時における免震構造物１の水平移動に追従して外部足場７を水平移動させることができる。
【００３０】
以上のようであるから、本考案によれば地震時における免震構造物の水平移動に追従して外部足場も水平移動し、外部足場の変形、破損を防止できる。
【００３１】
更に、ブレーキの固定操作及びその解除操作は、使用者が足で行え、手動で行うものと比べて楽に行える。
【符号の説明】
【００３２】
１      免震構造物
７      外部足場
８，９  建枠
２０    支持板
２３    キャスタ取付板
３０    キャスタ
３５    ブレーキ
３６    ブレーキペダル
【図１】
0003216804.tif 000003
【図２】
0003216804.tif 000004
【図３】
0003216804.tif 000005
【図４】
0003216804.tif 000006
【図５】
0003216804.tif 000007